(57)【特許請求の範囲】
【請求項１】
水溶性材料からなる便器用標的と、水溶性材料からなり前記便器用標的を垂下した状態に保持可能な紐状体とが、交互に連続して形成された長尺物を保持する保持手段と、
該保持手段から前記便器用標的および前記紐状体を交互に送り出して便器上部から便器内に垂下させる送出手段と、
前記紐状体を便器上部で切断するカッターとを備えてなることを特徴とする便器用標的支持装置。
【請求項２】
前記便器用標的が尿検査用試薬からなる試薬部を有することを特徴とする請求項１記載の便器用標的支持装置。
【請求項３】
前記便器用標的が尿と接触すると視覚的変化を呈することを特徴とする請求項１記載の便器用標的支持装置。
【請求項４】
請求項１ないし３のいずれかに記載の便器用標的支持装置を備えた便器。
【請求項５】
水溶性材料からなる便器用標的と、水溶性材料からなり前記便器用標的を垂下した状態に保持可能な紐状体とが、交互に連続して形成された長尺物からなる便器用標的部材。
【発明の詳細な説明】
【０００１】
【発明の属する技術分野】
本発明は、男子用小便器内に便器用標的を吊り下げて小用時の放尿標的位置をわかり易く示す便器用標的支持装置に関する。
【０００２】
【従来の技術】
図１は、一般的な男子用小便器の例を示した斜視図である。図中符号１は陶器製の小便器本体である。小便器本体１は断面略し字状のボウル型に形成されており、上部には洗浄水の吐出口が設けられ、底部には排水口が設けられている。吐出口から吐出された洗浄水は小便器本体１の内壁に沿って流下して排水口から排水される。
このような男子用小便器は、便器内壁の正面下方よりの位置Ｔに向かって放尿すれば、尿が小便器本体１の外部へ飛散しないように設計されている。本明細書ではこのような位置Ｔを放尿標的位置という。
【０００３】
【発明が解決しようとする課題】
しかしながら、実際には放尿位置が前記放尿標的位置Ｔに定まらず、尿が周囲に飛散してしまうことが多かった。
本発明は前記事情に鑑みてなされたもので、男子小用時に、放尿位置が適切に定まらず、尿が周囲に飛散するのを防止することを目的とする。
【０００４】
【課題を解決するための手段】
前記課題を解決するために本発明は、水溶性材料からなる便器用標的と、水溶性材料からなり前記便器用標的を垂下した状態に保持可能な紐状体とが交互に連続して形成された長尺物を保持する保持手段と、該保持手段から前記便器用標的および前記紐状体を交互に送り出して便器上部から便器内に垂下させる送出手段と、前記紐状体を便器上部で切断するカッターとを備えた便器用標的支持装置を提供する。
本発明の便器用標的支持装置によれば、保持手段によって保持されている前記長尺物を前記送出手段によって送り出して便器上部から便器内に垂下させ、便器内壁の放尿標的位置Ｔの近傍に便器用標的を紐状体によって吊り下げることができる。これにより、男子小用時の放尿標的位置Ｔがわかり易く表示されるので、放尿位置が適切に定まり易くなり、尿の周囲への飛散が防止される。
また便器用標的および紐状体は水溶性材料からなるので、使用後は紐状体を便器上部で切断して便器用標的および紐状体を落下させ、これらを洗浄水に溶解させることにより容易に廃棄処理することができる。
前記便器用標的を、尿検査用試薬からなる試薬部を有する構成とすれば、放尿時に簡便に尿検査を行うことができる。
前記便器用標的を、尿と接触すると視覚的変化を呈するように構成すれば面白みが増し、より一層、使用者の興味を惹くことができる。
【０００５】
また本発明は、本発明の便器用標的支持装置を備えた便器を提供する。
本発明の便器によれば、便器用標的が、自動的にかつ再現性良く、便器内壁の放尿標的位置Ｔの近傍に吊り下げられるので、男子小用時に、放尿位置が適切に定まらずに尿が周囲に飛散するのが防止される。
さらにまた、本発明は、水溶性材料からなる便器用標的と、水溶性材料からなり前記便器用標的を垂下した状態に保持可能な紐状体とが、交互に連続して形成された長尺物からなる便器用標的部材を提供する。
【０００６】
【発明の実施の形態】
以下、本発明を詳しく説明する。
図２および図３は本発明の便器用標的支持装置の一実施例を示したものであり、図２は本実施例の装置を取り付けた便器の全体斜視図、図３（ａ）は本実施例の装置を正面から見た断面図、図３（ｂ）は該装置を側方から見た断面図である。図中符号９０は便器用標的部材であり、便器用標的９０ａと紐状体９０ｂとが交互に連続して形成された長尺物からなる。ここで、本発明における便器は、男子小用に使用されるものであればよく、便器の形状は特に限定されない。
【０００７】
まず、便器用標的部材９０について説明する。
便器用標的部材９０を構成する便器用標的９０ａおよび紐状体９０ｂは、便器の洗浄水に溶解する性質を有する水溶性材料で構成される。このような材料としては、例えばポリビニルアルコール等の熱可塑性樹脂、カルボキシメチルセルロース、ヒドロキシエチルセルロース、ヒドロキシプロピルセルロース等のセルロース誘導体、アラビアゴム、グアーガム、ゼラチン、トラガントガム、ローカストビーンガム、カードラン、プルラン、アルギン酸ナトリウム等の多糖類、ポリビニルピロリドン等の複素環状系有機物等が挙げられる。これらは混合して用いてもよく、複数の材料を組み合わせて用いてもよい。
【０００８】
紐状体９０ｂの形状は、便器用標的９０ａを吊り下げることができるものであればよく、特に限定されない。例えば、糸状、紐状、あるいはテープ状等とすることができる。紐状体９０ｂの太さは１回の洗浄によって流下される洗浄水に溶解可能な太さとする。
便器用標的９０ａの形状および大きさは特に限定されず、紐状体９０ｂによって便器内に吊り下げ可能であり、かつ１回の洗浄によって流下される洗浄水に溶解可能であればよい。本実施例では球形に形成されている。
便器用標的９０ａには、洗浄水への溶解性を損なわない範囲で、適宜着色を施しても良く、模様や文字を印刷等によって描いてもよい。
本実施例の便器用標的部材９０は、便器用標的９０ａと所定の長さの紐状体９０ｂとが交互に連続して形成された長尺物がロール芯９１に螺旋状に巻き付けられてロール状となっている。
【０００９】
本実施例の便器用標的支持装置は、小便器本体１の上部に固定される収容箱７０を備えており、この収容箱７０内には、便器用標的部材９０のロール芯９１を同軸に保持する保持手段９２が設けられている。また、この保持手段９２から便器用標的９０ａと紐状体９０ｂとを交互に送り出す送出手段として、保持手段９２を自身の軸を中心として回転駆動させる駆動手段（図示略）、および保持手段９２から送り出される長尺物（便器用標的部材９０）を、収容箱７０の下面に設けられた開口部７２から下方に垂下させるためのガイド９３が設けられている。さらに、収容箱７０内には、開口部７２近傍で紐状体９０ｂを切断するためのカッター８２が設けられている。
【００１０】
ガイド９３は、便器用標的支持装置を小便器本体１に取り付けた状態で、収容箱７０の開口部７２の上方に位置するように設けられる。ガイド９３の形状は特に限定されないが、本実施例では便器用標的９０ａが通過可能な漏斗状の部材で構成されている。
カッター８２は、固定板８２ａと、この固定板８２ａに対して垂直に対向する可動刃８２ｂとからなり、可動刃８２ｂは、図示しない駆動手段により刃先を固定板８２ａに押し付ける方向へ進退可能に構成されている。カッター８２はガイド９３と収容箱７０の開口部７２との間に設けられ、ガイド９３から垂下された長尺物（便器用標的部材９０）の紐状体９０ｂを切断するように構成されている。
【００１１】
本実施例の装置には図示しないセンサーが設けられており、このセンサーによって小便器本体１への人の接近が感知されると、保持手段９２が回転し始め、保持手段９２から長尺物（便器用標的部材９０）が送り出される。送り出された長尺物はカッター８２の上方に設けられているガイド９３に導かれて収容箱７０の開口部７２から便器内に垂下される。
保持手段９２の回転に伴って便器用標的９０ａが収容箱７０の外へ送り出され、これに続いて紐状体９０ｂが送り出されて、次の便器用標的９０ａがガイド９３内に予め設定されている停止位置に達したら、保持手段９２の回転が停止するように制御されている。
したがって、収容箱７０の開口部７２から送り出される紐状体９０ｂが小便器本体１の中央に位置するように収容箱７０を設置するとともに、便器用標的９０ａ間の紐状体９０ｂの長さを、小便器本体１の上方に取り付けられた収容箱７０内のガイド９３における上記停止位置から便器内壁の放尿標的位置Ｔまでの距離と等しくしておくことによって、便器用標的９０ａを放尿標的位置Ｔ近傍に再現性良く吊り下げることができる。
【００１２】
そして、放尿後から洗浄水が流される前までの間、あるいは洗浄水が流されると同時に、カッター８２の可動刃８２ｂが前進し、続いて後退して紐状体９０ｂを切断するように制御されている。
したがって、便器内に吊り下げられた便器用標的９０ａおよび紐状体９０ｂは、放尿後に紐状体９０ｂが切断されて落下し、便器上方の吐出口から洗浄水を流して便器内を洗浄する際に、洗浄水に溶解されて底部の排水口から排出される。
【００１３】
なお、便器用標的９０ａは、必ずしも放尿が終わるまで便器内に吊り下げられている必要はなく、放尿中に落下しても差し支えないものとする。
また、本実施例では人の接近を感知するセンサーを設けたが、これを設けず、使用者がスイッチをＯＮにすれば、保持手段９２が回転し、便器用標的９０ａが所定の位置に吊り下げられるように構成してもよく、あるいは、使用条件によっては、洗浄水の流下を感知し洗浄水の流下が終了する毎に、新しい便器用標的９０ａが吊り下げられるように構成してもよい。
【００１４】
本実施例の便器用標的支持装置によれば、便器内壁の放尿標的位置Ｔ近傍に便器用標的９０ａが吊り下げられるので、男子小用時の放尿標的位置Ｔがわかり易く表示されるとともに、使用者の興味を惹き、好んでこの便器用標的９０ａに向かって放尿するという心理的効果も得られる。したがって、放尿時に尿が周囲へ飛散するのを効果的に防止することができ、便器の周囲を清潔に保つのに有効である。また男子幼児の小用の躾に利用すれば、遊びながら小用時のマナーが身に付くという利点も得られる。
さらに、便器用標的９０ａおよび９０ｂは、放尿後、落下し、洗浄水に溶解されるので、使用後の処理が簡単である。
【００１５】
また図示しないが、便器用標的９０ａの一部または全部の表面に尿検査用試薬からなる試薬部を設けてもよい。試薬部は例えば糖尿病検査用の尿検査試薬からなり、尿中の糖濃度の高低に応じて所定の色に着色する糖尿病検査用試薬を、便器用標的９０ａに塗布、含浸、または貼着して形成される。このように構成すれば排尿時に糖尿病に関する尿検査を簡便に行うことができる。
または、糖尿病検査用試薬以外の尿検査用試薬を使用してもよく、尿中の成分によって検査可能な各種の検査を行うことができる。例えば、尿中の蛋白や潜血等の検査用試薬を用いてこれらの項目についての検査を行うこともでき、２種以上の検査を同時に行うことも可能である。
試薬部の形状、大きさ、および設ける位置は、所定の検査を行える範囲で任意に設定することができる。
このように、試薬部を有する便器用標的９０ａを用いれば、尿の飛散防止の効果が得られる他に、排尿時に糖尿病に関する尿検査を簡便に行うことができる。
【００１６】
あるいは、便器用標的９０ａの表面が、尿と接触すると視覚的変化を呈するように構成してもよい。
例えば、便器用標的９０ａの表面に、尿中に必ず含まれている尿素やナトリウム等の成分によって呈色する試薬で図柄を描いておくことによって、放尿時に便器用標的９０ａに図柄を描出させることができる。あるいは予め便器用標的９０ａに描かれた図柄が、放尿によって変化するように構成してもよい。
このように構成された便器用標的９０ａを用いれば、尿の飛散防止の効果が得られる他、放尿時に便器用標的９０ａに尿が接触すると視覚的変化が生じるので、面白みが増し、好んでこの便器用標的シートに向かって放尿するという心理的効果がより大きくなる。
【００１７】
【発明の効果】
以上説明したように、本発明の便器用標的支持装置によれば、便器内壁の放尿標的位置の近傍に便器用標的が自動的にかつ再現性良く吊り下げられるので、男子小用時の放尿標的位置がわかり易く表示され、尿の便器周囲への飛散が防止される。
【図面の簡単な説明】
【図１】一般的な男子用小便器の例を示した斜視図である。
【図２】本発明の便器用標的支持装置の実施例を示したもので、装置を便器に取り付けた状態を示す全体斜視図である。
【図３】（ａ）は図２の装置を正面から見た断面図であり、（ｂ）は該装置を側方から見た断面図である。
【符号の説明】
１…小便器本体、９０…便器用標的部材、９０ａ…便器用標的、
９０ｂ…紐状体、９２…保持手段、９３…ガイド、８２…カッター、
Ｔ…放尿標的位置。
【図１】
0004096508.tif 000002
【図２】
0004096508.tif 000003
【図３】
0004096508.tif 000004